(57)【要約】【課題】シート状原稿の搬送精度を向上し、読取手段の防塵対策を行うと共に装置の展開性を容易とする画像読取装置を提供する。【解決手段】シートガラス４の原稿搬送方向下流側（図右側）の長手端面は、Ｕターン下外周ガイド７ｂの支持リブ７ｂ１に載る構成としている。また、シートガラス４の原稿搬送方向上流側（図左側）の長手端面は、Ｕターン下外周ガイド７ｂの裏面に両面テープ４ａにより貼り付けられている。そして、原稿読取搬送部Ａを読取ユニットＢに載せた時には、ｓｃａｎｕｐベース上面の領域にシートガラス４の端面が当接して載る構成としている。【選択図】　図１
2004140431.tif 000002
【特許請求の範囲】
【請求項１】
読取手段と、
反転搬送されるシート状原稿を案内する内周原稿ガイド及び外周原稿ガイドと、
前記外周原稿ガイドの下側の一部に設けられて反転搬送されるシート状原稿が上面を移動するシート状原稿用ガラスと、
ブック状原稿が載置されるブック状原稿用ガラスと、
を備え、
前記シート状原稿用ガラス下部に固定配置された前記読取手段で反転搬送されるシート状原稿を読み取るシート状原稿読取機構及び前記ブック状原稿用ガラス下面に沿って移動する前記読取手段で前記ブック状原稿用ガラス上に載置された前記ブック状原稿を読み取るブック状原稿読取機構を構成する画像読取装置であって、
前記外周原稿ガイドは、シート状原稿が反転する上部領域をガイドする上外周原稿ガイドと、シート状原稿が反転する下部領域をガイドする下外周原稿ガイドと、からなり、
前記シート状原稿用ガラスは、前記下外周原稿ガイドにて位置出し及び固定され、
前記下外周原稿ガイドと前記シート状原稿用ガラスとの原稿通紙面上には開口部を設けていないことを特徴とする画像読取装置。
【発明の詳細な説明】
【０００１】
【発明の属する技術分野】
本発明は、原稿の画像を読み取る画像読取装置に関するものである。
【０００２】
【従来の技術】
画像読取装置の従来例では、図１１、図１２に示すように、装置本体１００から開閉するブック状原稿の原稿押さえ１１０にシート状原稿搬送機構１２０を一体的に取り付けていた（特許文献１参照）。
【０００３】
また、他の従来例では、図１３、図１４に示すように、シート状原稿搬送機構２００と装置本体２１０から開閉するブック状原稿の原稿押さえ２２０とを分離して構成していた（特許文献２参照）。
【０００４】
【特許文献１】
特開２０００−０３８２３４号公報
【特許文献２】
特許第２７７４４２２号明細書
【０００５】
【発明が解決しようとする課題】
ところが、特許文献１記載の従来例の装置においては、下記の様な欠点を有していた。
【０００６】
原稿押さえにシート状原稿搬送機構を一体的に設けていたため、原稿押さえの重量がかなり重くなり、原稿押さえの開閉に必要なヒンジ部分への負荷が大きい。そのためヒンジと回転中心の剛性を上げる必要があり、また原稿押さえが重いのでダンパー機構が必要となり、非常に高価な回転機構となっていた。
【０００７】
また、特許文献２記載の従来例の装置においては、上記特許文献１の欠点を解消していたが、シート状原稿読取機構のない機種への展開が難しい構成であった。
【０００８】
そして、近年の高速化及び高画質化の要請からシート状原稿の搬送精度を向上することや読取手段の防塵対策が要求されていた。
【０００９】
本発明は上記従来技術に鑑みてなされたもので、その目的とするところは、シート状原稿の搬送精度を向上し、読取手段の防塵対策を行うと共に装置の展開性を容易とする画像読取装置を提供することにある。
【００１０】
【課題を解決するための手段】
上記目的を達成するために本発明にあっては、読取手段と、反転搬送されるシート状原稿を案内する内周原稿ガイド及び外周原稿ガイドと、前記外周原稿ガイドの下側の一部に設けられて反転搬送されるシート状原稿が上面を移動するシート状原稿用ガラスと、ブック状原稿が載置されるブック状原稿用ガラスと、を備え、前記シート状原稿用ガラス下部に固定配置された前記読取手段で反転搬送されるシート状原稿を読み取るシート状原稿読取機構及び前記ブック状原稿用ガラス下面に沿って移動する前記読取手段で前記ブック状原稿用ガラス上に載置された前記ブック状原稿を読み取るブック状原稿読取機構を構成する画像読取装置であって、前記外周原稿ガイドは、シート状原稿が反転する上部領域をガイドする上外周原稿ガイドと、シート状原稿が反転する下部領域をガイドする下外周原稿ガイドと、からなり、前記シート状原稿用ガラスは、前記下外周原稿ガイドにて位置出し及び固定され、前記下外周原稿ガイドと前記シート状原稿用ガラスとの原稿通紙面上には開口部を設けていないことを特徴とする。
【００１１】
上記構成によれば、シート状原稿を搬送する搬送機構にて搬送精度を向上することができ、かつ組立易く、読取部への防塵対策を施すことができる。また、装置全体のコストと低減させ、かつ装置としての展開性が容易に実現できる。
【００１２】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００１３】
図１〜図１０を参照して、実施の形態について説明する。ここで、Ａは原稿読取搬送部であり、Ｂはブック状原稿用プラテンガラス３（ブック原稿用ガラス）とシート状原稿用シートガラス４（シート状原稿用ガラス）と読取手段としての密着型イメージセンサ５（本実施の形態では、コンタクトイメージセンサを使用）とを含む読取ユニットであり、Ｃはブック状原稿を押さえるブック状原稿押さえとしての原稿圧板１を含む原稿圧板ユニットである。
【００１４】
まず、図１から図３を参照して原稿読取搬送部Ａの構成及び動作を説明する。
【００１５】
原稿圧板１の下面には、ブック状原稿読取機構による静止原稿読取時に原稿をプラテンガラス３に密着させるための圧板白地板２が取り付けられており、図示しないヒンジを回転中心として原稿圧板ユニットＣが開閉できる構成になっている。
【００１６】
原稿圧板１の上面には、複数枚のシート状原稿Ｓが載置可能な原稿載置台１ａが設けられている。原稿載置台１ａには、シート状原稿Ｓの搬送方向と直交する幅方向にスライド可能なスライダ１ｂが設けられており、スライダ１ｂにより原稿載置台１ａ上に載置されたシート状原稿Ｓの両側端を揃えることができるようになっている。
【００１７】
原稿読取搬送部Ａには、反転ローラ６（以下メインローラという）の円弧と同一形状で上方から下方へ反転させながらシート状原稿Ｓを搬送する略Ｕ字状の原稿搬送路７（以下、Ｕターンパスという）を有する。
【００１８】
Ｕターンパス７は、外周側のＵターン上外周ガイド７ａ（上外周原稿ガイド）及びＵターン下外周ガイド７ｂ（下外周原稿ガイド）により構成される外周原稿ガイドと、内周側の反転ローラ６の外周表面による内周原稿ガイドと、によって形成されている。なお、不図示であるが内周原稿ガイド側若しくは内周原稿ガイド側側面にシート状原稿Ｓの読取機構に必要な電気部品を配設している。
【００１９】
また、Ｕターンパス７には、分離機構としての分離ローラ９及び分離パット１０（板状摩擦部材）、シート状原稿Ｓの有無を検出する原稿有無センサ１１、シート状原稿Ｓを搬送するメインローラ６及び対向するコロ６ａ〜６ｄ、排紙ローラ１２及び対向するコロ１２ａ、シート状原稿Ｓの先端部及び後端部を検出する原稿エッジセンサ等が取り付けられた構成となっている。
【００２０】
原稿読取搬送部Ａに対してプラテンガラス３及びシートガラス４を介して下方に配置された密着型イメージセンサ５は、光源としてのＬＥＤアレイから原稿の画像情報面に光を照射し、画像情報面で反射した反射光をセルフォックレンズ（登録商標）でセンサ素子に結像して画像情報を読み取るものである。
【００２１】
この密着型イメージセンサ５は、図１記載の矢印左右方向に移動可能であり、静止原稿読取即ちブック状原稿読取時は、図１の位置から図１中の右側へ走査することで読み取りを行い、原稿読取搬送部Ａで読み取る即ちシート状原稿Ｓ読取時は、図１の位置で固定され、反転搬送されてくるシート状原稿Ｓを読み取る構成となっている。
【００２２】
図４はプラテンガラス３等を取り除いた読取ユニットＢの図である。
【００２３】
読取下シャーシとしてのｓｃａｎベースＢ１と読取上シャーシとしてのｓｃａｎｕｐベースＢ２との中で、密着型イメージセンサ５を取り付けた読取キャリッジ５ａが、図示しない駆動モータにより移動するタイミングベルト１９によって走査軸１６上を図示する矢印方向に移動走査を行う。
【００２４】
また、原稿読取搬送部Ａにおいては、操作者がシート状原稿Ｓを原稿載置台１ａに載置するとき、シート状原稿Ｓの読取画像面を上側にして装置の右側からセットされるようになっており、この原稿セットの際には、シート状原稿Ｓの先端位置が原稿ストッパ１３によって規制され、また原稿有無センサ１１によりシート状原稿Ｓが原稿載置台１ａに有ることが検知される。
【００２５】
そして、操作者が不図示の操作部から原稿読取搬送部Ａでの読取開始を指示すると、不図示の駆動部が回転し、原稿ストッパ１３がピックアップアーム８ａにより押し下げられ、ピックアップローラ８によってシート状原稿Ｓが原稿ストッパ１３上の傾斜面を通り、Ｕターンパス７を形成するＵターン上外周ガイド７ａとＵターン下外周ガイド７ｂの内部へと送り込まれる。
【００２６】
このとき、原稿読取搬送部Ａでは、重力方向に対して分離パット１０の上方に設けられた分離ローラ９及び分離パット１０によってシート状原稿Ｓが１枚ずつに分離され、最上位のシート状原稿Ｓが分離搬送される。
【００２７】
また、分離された１枚のシート状原稿Ｓがメインローラ６と対向コロ６ａ〜６ｃによって、Ｕターンパス７に沿って搬送され、更にシートガラス４の直下に位置する密着型イメージセンサ５の読取位置へと搬送される。
【００２８】
ここで、シートガラス４の支持について説明する。
【００２９】
図５は、Ｕターン下外周ガイド７ｂと、それに取り付けられたシートガラス４、コロ６ｃ，６ｄ及びコロ１２ａと、によるＵターンガイドの下部通紙面を表すものである。
【００３０】
シートガラス４の原稿搬送方向下流側（図右側）の長手端面は、Ｕターン下外周ガイド７ｂの支持リブ７ｂ１に載る構成としている（図１参照）。すなわち、シートガラス４の原稿搬送方向下流側（図右側）の長手端面は全幅にわたって、Ｕターン下外周ガイド７ｂに密着するように固定されている。
【００３１】
また、シートガラス４の原稿搬送方向上流側（図左側）の長手端面は、Ｕターン下外周ガイド７ｂの裏面に両面テープ４ａ（他の接着手段でも可）により貼り付けられている（図１参照）。すなわち、シートガラス４の原稿搬送方向上流側（図左側）の長手端面は、全幅にわたってＵターン下外周ガイド７ｂに密着するように固定されている。
【００３２】
そして、原稿読取搬送部Ａを読取ユニットＢに載せた時には、図４記載のｓｃａｎｕｐベースＢ２上面の領域Ｂ２ａにシートガラス４の端面が当接して載る構成としている。
【００３３】
このような構成とすることで、シートガラス４は組立時にはＵターン下外周ガイド７ｂ側に仮止めされるので、非常に容易に組み立てることができる。また、原稿読取搬送部Ａへのシートガラス４の位置出しが正確にできる。よって、シート状原稿Ｓの搬送精度が向上する。
【００３４】
操作者がシートガラス４の清掃を行う際には、シートガラス４が生じる重力方向への荷重をしっかりと受けているため、シートガラス４がＵターン下外周ガイド７ｂから外れる等の心配は全くなくなる。よって、メンテナンスも容易となる。
【００３５】
また、図５の状態にて、通紙面より下側への開口部は全くない構成としている。このような構成とすることで、原稿搬送に伴う紙紛、ゴミ、埃等が読取ユニットＢへ入り込まないように構成している。よって、密着型イメージセンサ５に防塵対策を施すことができ、良好な画像読取ができる。
【００３６】
先の説明に戻り、原稿読取搬送部Ａでは、原稿エッジセンサによってシート状原稿Ｓの先端部が検知されると、その位置から所定量搬送されたところで、密着型イメージセンサ５による画像情報の読み取りが開始される。その時、シート状原稿Ｓは、メインローラ６の略最下点に位置し、メインローラ６の幅以外は、読取白地板１４に押圧されて画像が読み取られている。
【００３７】
メインローラ６と読取白地板１４を、図１記載の矢印Ｄ方向よりいくつかの部品を取った状態の斜視図である図３にて説明する。
【００３８】
メインローラ６は、原稿読取幅全域ではなく、中央のみ（本実施の形態では、約２０ｍｍ幅）に位置する。
【００３９】
そして、メインローラ６を挟み原稿読取幅両側には、読取白地板１４を設けている。プラテンガラス３上に貼り付けた図示しない白基準シートにより、密着型イメージセンサ５にて絶体白を取る構成としているため、読取白地板１４はバックグラウンドカラーとしての機能と、シートガラス４へシート状原稿Ｓを密着させ、かつ原稿搬送ガイドとしての機能を有する。
【００４０】
また、読取開始後、シート状原稿Ｓは、シートガラス４の下流側に形成された斜面によりすくい上げられ、さらにメインローラ６及びコロ６ｄによって搬送され、排紙ローラ１２及びコロ１２ａに向かう。
【００４１】
この時メインローラ６に対してシート状原稿Ｓを搬送するため、読取位置を通過するシート状原稿Ｓ即ち読取中のシート状原稿Ｓは、常に等速状態にて原稿搬送がなされる。
【００４２】
そして、原稿エッジセンサによりシート状原稿Ｓの後端部が検知されると、その位置から所定量搬送されたところで、密着型イメージセンサ５による画像情報の読み取りを終了する。
【００４３】
そして、当該原稿Ｓは、排紙ローラ１２によって原稿排出台兼用の原稿圧板１の上面へと排出される。
【００４４】
このようにして、原稿搬送部Ａ及び読取ユニットＢでは、原稿有無センサ１１が原稿無しを検知するまで上述した読取動作を繰り返す。
【００４５】
次に本実施の形態の画像読取装置をブック状原稿用のみの画像読取装置に展開する場合について説明する。
【００４６】
図６はシート状原稿及びブック状原稿の両方用の画像読取装置であり、図７は図６から共通カバーＢ３〜Ｂ５と図５記載のＵターン下外周ガイド７ｂとを取り外した状態の画像読取装置である。
【００４７】
即ち、図５記載のＵターン下外周ガイド７ｂをブック状原稿読取専用カバーＢ６に交換し、プラテンガラス３を図９記載のＵターン下外周ガイド７ｂのあった領域まで到達するブック状原稿読取専用プラテンガラス３Ｌと交換することで、図８記載の装置本体が完成でき、図１０記載のブック状原稿専用の画像読取装置とすることが非常に容易に構成できる。
【００４８】
図１０記載の画像読取装置は、原稿圧板１の下面に静止原稿読取時に原稿をプラテンガラス３Ｌに密着させるための圧板白地板２が取り付けられており、ヒンジを回転中心として原稿圧板１が図１０記載の矢印方向に開閉できる構成である。
【００４９】
本発明の実施態様を以下に列挙する。
【００５０】
［実施態様１］
密着型イメージセンサ５（読取手段）と、反転搬送されるシート状原稿Ｓを案内する内周原稿ガイド及び外周原稿ガイドと、前記外周原稿ガイドの下側の一部に設けられて反転搬送されるシート状原稿Ｓが上面を移動するシートガラス４（シート状原稿用ガラス）と、ブック状原稿が載置されるプラテンガラス３（ブック状原稿用ガラス）と、を備え、前記シートガラス４（シート状原稿用ガラス）下部に固定配置された前記密着型イメージセンサ５（読取手段）で反転搬送されるシート状原稿Ｓを読み取るシート状原稿読取機構及び前記プラテンガラス３（ブック状原稿用ガラス）下面に沿って移動する前記密着型イメージセンサ５（読取手段）で前記プラテンガラス３（ブック状原稿用ガラス）上に載置された前記ブック状原稿を読み取るブック状原稿読取機構を構成する画像読取装置であって、前記外周原稿ガイドは、シート状原稿Ｓが反転する上部領域をガイドするＵターン上外周ガイド７ａ（上外周原稿ガイド）と、シート状原稿Ｓが反転する下部領域をガイドするＵターン下外周ガイド７ｂ（下外周原稿ガイド）と、からなり、前記シートガラス４（シート状原稿用ガラス）は、前記Ｕターン下外周ガイド７ｂ（下外周原稿ガイド）にて位置出し及び固定され、前記Ｕターン下外周ガイド７ｂ（下外周原稿ガイド）と前記シートガラス４（シート状原稿用ガラス）との原稿通紙面上には開口部を設けていないことを特徴とする画像読取装置。
【００５１】
［実施態様２］
ｓｃａｎｕｐベースＢ２（読取上シャーシ）とｓｃａｎベースＢ１（読取下シャーシ）との間に移動可能に配置される密着型イメージセンサ５（読取手段）と、反転搬送されるシート状原稿Ｓを案内する内周原稿ガイド及び外周原稿ガイドと、前記外周原稿ガイドの下側の一部に設けられて反転搬送されるシート状原稿Ｓが上面を移動するシートガラス４（シート状原稿用ガラス）と、ブック状原稿が載置されるプラテンガラス３（ブック状原稿用ガラス）と、を備え、前記シートガラス４（シート状原稿用ガラス）下部に固定配置された前記密着型イメージセンサ５（読取手段）で反転搬送されるシート状原稿Ｓを読み取るシート状原稿読取機構及び前記プラテンガラス３（ブック状原稿用ガラス）下面に沿って移動する前記密着型イメージセンサ５（読取手段）で前記プラテンガラス３（ブック状原稿用ガラス）上に載置された前記ブック状原稿を読み取るブック状原稿読取機構を構成する画像読取装置であって、前記外周原稿ガイドは、シート状原稿Ｓが反転する上部領域をガイドするＵターン上外周ガイド７ａ（上外周原稿ガイド）と、シート状原稿Ｓが反転する下部領域をガイドするＵターン下外周ガイド７ｂ（下外周原稿ガイド）と、からなり、前記Ｕターン下外周ガイド７ｂ（下外周原稿ガイド）は、前記ｓｃａｎｕｐベースＢ２（読取上シャーシ）上面に配され、前記シートガラス４（シート状原稿用ガラス）は、前記Ｕターン下外周ガイド７ｂ（下外周原稿ガイド）にて位置出し及び固定されると共に、前記シートガラス４（シート状原稿用ガラス）の少なくとも２辺以上は、前記ｓｃａｎｕｐベースＢ２（読取上シャーシ）上面に接して配設されることを特徴とする画像読取装置。
【００５２】
［実施態様３］
前記Ｕターン下外周ガイド７ｂ（下外周原稿ガイド）と前記プラテンガラス３（ブック状原稿用ガラス）との端面付近を覆う部分に、前記Ｕターン下外周ガイド７ｂ（下外周原稿ガイド）を削除した外装カバーを装着することによって、前記シート状原稿読取機構のない前記ブック状原稿読取機構のみの装置を構成することを特徴とする実施態様２に記載の画像読取装置。
【００５３】
［実施態様４］
前記ブック状原稿読取機構のみの装置を構成する際に、前記プラテンガラス３（ブック状原稿用ガラス）を前記Ｕターン下外周ガイド７ｂ（下外周原稿ガイド）配置領域側まで延長したことを特徴とする実施態様３に記載の画像読取装置。
【００５４】
［実施態様５］
前記シート状原稿読取機構に必要な電気部品は、前記内周原稿ガイド側若しくは前記内周原稿ガイド側側面に配設したことを特徴とする実施態様１又は２に記載の画像読取装置。
【００５５】
［実施態様６］
前記密着型イメージセンサ５（読取手段）は、コンタクトセンサであることを特徴とする実施態様１乃至５のいずれか１項に記載の画像読取装置。
【００５６】
［実施態様７］
複数のシート状原稿Ｓを積載する原稿載置台１ａ（原稿トレイ）と、前記原稿載置台１ａ（原稿トレイ）から原稿を搬送するためのピックアップローラ８（給紙ローラ）を含む給紙機構と、前記給紙機構により搬送されてきた原稿を一枚ごとに分離する分離機構と、を有することを特徴とする実施態様１又は２に記載の画像読取装置。
【００５７】
［実施態様８］
前記分離機構は、回動する摩擦部材からなる分離ローラ９と、静止した分離パット１０（板状摩擦部材）と、からなり、前記分離ローラ９は、重力方向に対して前記分離パット１０（板状摩擦部材）の上方に設けたことを特徴とする実施態様７に記載の画像読取装置。
【００５８】
［実施態様９］
前記ブック状原稿読取機構は、原稿圧板１（ブック状原稿押さえ）を有し、
画像読み取り後のシート状原稿Ｓは、前記原稿圧板１（ブック状原稿押さえ）の上部に、排出されることを特徴とする実施態様１又は２に記載の画像読取装置。
【００５９】
［実施態様１０］
前記シートガラス４（シート状原稿用ガラス）の搬送方向上流側端部と下流側端部は、全幅にわたって前記Ｕターン下外周ガイド７ｂ（下外周原稿ガイド）に密着するように固定されていることを特徴とする実施態様１に記載の画像読取装置。
【００６０】
【発明の効果】
以上説明したように、本発明は、シート状原稿用ガラスを下外周原稿ガイドに一体的に位置出し及び固定して仮止めすることで、組立を容易にし、かつ原稿搬送系の搬送精度を向上するもので、即ち読取画像品質を高くすることができる。
【００６１】
また、シート状原稿用ガラス及び下外周原稿ガイドによる原稿通紙面に開口部を全く設けていないことよるカバーで読取手段に防塵対策を施すことができる。
【００６２】
さらには、装置としての展開性が容易に実現できる。また、使い勝手かつ作り勝手の良い画像読取装置を提供することができる。
【図面の簡単な説明】
【図１】実施の形態に係る画像読取装置の全体構造説明図である。
【図２】実施の形態に係る画像読取装置の外観斜視説明図である。
【図３】実施の形態に係る画像読取装置の原稿読取搬送部の要部説明図である。
【図４】実施の形態に係る画像読取装置の読取ユニットの内部構造説明図である。
【図５】実施の形態に係る画像読取装置のＵターン下外周ガイドの全体構造説明図である。
【図６】実施の形態に係る画像読取装置の外観斜視説明図である。
【図７】実施の形態に係る画像読取装置の読取ユニットの内部構造説明図である。
【図８】実施の形態に係るブック状原稿用画像読取装置の外観斜視説明図である。
【図９】実施の形態に係るブック状原稿用画像読取装置の読取ユニットの内部構造説明図である。
【図１０】実施の形態に係るブック状原稿用画像読取装置の外観斜視説明図である。
【図１１】従来の画像読取装置の全体構造説明図である。
【図１２】従来の画像読取装置の外観図である。
【図１３】その他の従来の画像読取装置の全体構造説明図である。
【図１４】その他の従来の画像読取装置の外観斜視図である。
【符号の説明】
１　原稿圧板
１ａ　原稿載置台
１ｂ　スライダ
２　圧板白地板
３　ブック状原稿用プラテンガラス
３Ｌ　ブック状原稿読取専用プラテンガラス
４　シート原稿用シートガラス
４ａ　両面テープ
５　密着型イメージセンサ
５ａ　読取キャリッジ
６　メインローラ
６ａ〜６ｄ　コロ
７　Ｕターンパス
７ａ　Ｕターン上外周ガイド
７ｂ　Ｕターン下外周ガイド
７ｂ１　支持リブ
８　ピックアップローラ
８ａ　ピックアップアーム
９　分離ローラ
１０　分離パット
１１　原稿有無センサ
１２　排紙ローラ
１２ａ　コロ
１３　原稿ストッパ
１４　読取白地板
１６　走査軸
１９　タイミングベルト
【図１】
2004140431.tif 000003
【図２】
2004140431.tif 000004
【図３】
2004140431.tif 000005
【図４】
2004140431.tif 000006
【図５】
2004140431.tif 000007
【図６】
2004140431.tif 000008
【図７】
2004140431.tif 000009
【図８】
2004140431.tif 000010
【図９】
2004140431.tif 000011
【図１０】
2004140431.tif 000012
【図１１】
2004140431.tif 000013
【図１２】
2004140431.tif 000014
【図１３】
2004140431.tif 000015
【図１４】
2004140431.tif 000016